(57)【特許請求の範囲】
【請求項１】
人工膀胱から排泄される排泄物を溜めるパウチにおいて、
該パウチは、表面シートと裏面シートの周縁を貼り合わせて袋状とし、
上記裏面シートの上部に排泄物を受け入れる開口部を設け、
上記パウチの底部に排泄物をパウチ外に排出する排出部を設け、
上記パウチ内の上部には、表面シート側に第１逆流防止シートと裏面シート側に第２逆流防止シートを設け、
上記第１逆流防止シートと第２逆流防止シートの下辺を除く周縁を、上記表面シートおよび裏面シートと共に貼り合わせ、
上記第２逆流防止シートを、排泄物を受け入れ可能に上記開口部に対応する部分を切り取るとともに上記開口部の周縁に取付け、
上記パウチの内部に上記開口部近傍から上記パウチ下部または上記排出部まで中空または中実の排出用チューブを取付け、
上記排出用チューブの上部を、上記第１逆流防止シートと第２逆流防止シートの間に設けたことを特徴とする人工膀胱用パウチ。
【請求項２】
上記排出用パイプの上部を上記第２逆流防止シートに固定し、上記排出用パイプの下部を、上記裏面シートに固定した請求項１に記載の人工膀胱用パウチ。
【発明の詳細な説明】
【０００１】
【発明の属する技術分野】
本発明は、身体の表面に形成したストーマから排泄される排泄物を収納するパウチに関する。
【０００２】
【従来の技術】
膀胱等の疾患のためこの膀胱を摘出した人は、身体の外へ尿等を排泄するために、身体の表面にストーマを形成している。このストーマから排泄される排泄物を収納し、一時的に貯留するためにパウチを取付けている。このパウチを身体に取付けるには、パウチを身体に直接取付けるワンピースタイプと、身体に貼りつける面板とこの面板と着脱自在に取付けることが可能な着脱部を有するパウチを別部材としたツーピースタイプのものがあるが、いずれにしてもパウチ内に排泄物を収納するようにしている。
【０００３】
しかしながら、そのパウチは身体に取付けるためには大きさが制限されるため、排泄物の収容能力に一定の限界があり、時折パウチ自体を取り替えるか、あるいはパウチ外に排泄物を移送する必要があった。このため、パウチ外に排泄物を移送するように、パウチにはその底部に排出口を設けて、この排出口に移送用チューブを取り付け、パウチ内の排泄物をパウチ外に取出していた。
特に夜間等では睡眠のためパウチを取り替えることが困難であり、長時間パウチ内に排泄物を貯留し続けるため、パウチの収容能力を超える恐れがあり、排泄物を別に設けたタンク内に移送させるように、排出口に移送用チューブを取付けたまま睡眠を取っていた。このとき、タンクはベットの下におかれることが多く、チューブの先端は、ベットの下に設けられた排泄物を収納するタンク内に導入されていた。
【０００４】
そうすると、パウチとタンクの間の落差により、排泄物は常にチューブを通りタンク内に流れるため、パウチ内は負圧になることとなる。従ってパウチは合成樹脂製の表面シートと裏面シートを貼り合わせたものであるため、この表面シートと裏面シートが密着してしまう場合があった。また、２枚の逆流防止シートをパウチ内に有する場合は、その２枚の逆流防止シートが相互に密着してしまう場合があった。特に、表面シートと裏面シートあるいは２枚の逆流防止シートの表面に排泄物の残滓がある場合には密着が起こりやすかった。
かかる場合に、ストーマから排泄物が排出されると、パウチの上部あるいは開口部付近にのみ排泄物が貯留されることとなり、パウチの下部に排泄物が流れなくなる場合があった。そのような場合は、パウチを取りつけた者に著しい苦痛を与える恐れがあった。
【０００５】
【発明が解決しようとする課題】
本発明の目的は、かかる問題に鑑み、長時間使用してもパウチ外に排泄物を確実に排出することができるパウチを提供することにある。
【０００６】
【課題を解決するための手段】
請求項１の発明は、人工膀胱から排泄される排泄物を溜めるパウチにおいて、パウチは、表面シートと裏面シートの周縁を貼り合わせて袋状とし、裏面シートの上部に排泄物を受け入れる開口部を設け、パウチの底部に排泄物をパウチ外に排出する排出部を設け、パウチ内の上部には、表面シート側に第１逆流防止シートと裏面シート側に第２逆流防止シートを設け、第１逆流防止シートと第2逆流防止シートの下辺を除く周縁を、表面シートおよび裏面シートと共に貼り合わせ、第２逆流防止シートを、排泄物を受け入れ可能に開口部に対応する部分を切り取るとともに開口部の周縁に取付け、パウチの内部に開口部近傍からパウチ下部または排出部まで中空または中実の排出用チューブを取付け、中空または中実の排出用チューブの上部を、第１逆流防止シートと第2逆流防止シートの間に設けたものである。
【０００７】
請求項１の発明は、パウチの内部に開口部近傍からパウチ下部または排出部まで中空または中実の排出用チューブを取付けたため、開口部から排泄物をパウチ底部まで確実に流下させることができ、移送用チューブを排出口に取り付けた場合は、パウチ内から排泄物を確実に排出することができ、長時間パウチを取りつけたままにしていても、パウチを取付けた者に苦痛を与えることがない。
パウチ内に逆流防止シートを設けて、２枚の逆流防止シートの間に排出用チューブを入れ、開口部付近まで排出用チューブを設けたので、第１逆流防止シートと第２逆流防止シートが密着しても、開口部から排泄物をパウチ底部まで確実に流下させることができる。
【００１０】
請求項２の発明は、中空または中実の排出用チューブの上部を第２逆流防止シートに固定し、排出用チューブの下部を、裏面シートに固定したものである。
請求項３の発明では、排出用チューブを第２逆流防止シートと裏面シートに固定したため、パウチが揺れても排出用チューブが振れることはない。
【００１１】
【発明の実施の形態】
次に本発明の実施の態様を図１から図５に基づき説明する。
図１は、本発明のパウチの裏面図であり、図２は、図１のＡ−Ａ線に沿った一部縦断面図であり、図３、４、５はそれぞれ図１のＢ−Ｂ線、Ｃ−Ｃ線、Ｄ−Ｄ線に沿った横断面図である。
図１に示すように、パウチ１は、上部が半円形状をして、底部が直線状をなし、両側部は若干末広がり状の形状である。パウチ１の形状は、排泄物を貯留するために、下部が漏斗状をなしてもよく、その使用状態、使用対象者等により適宜選択される。
パウチ１の本体の構成は、表面シート２と裏面シート３からなる。表面シート２と裏面シート３の周縁は貼り合わされて袋状となり、排泄物を貯留することができる。表面シート２と裏面シート３を１枚のシートから切り出した場合は、その底部で連続するため、上部と両側部のみ貼り合わされる。
【００１２】
この表面シート２と裏面シート３の材料は、排泄物がもれないように耐水性、引っ張り等により破れない耐衝撃性、引張強度等の特性が必要であり、排泄物の状態を観察できるように透明性も必要であるため、高圧ポリエチレン、エチレン酢酸ビニル共重合体、塩化ビニル等のフィルムを用いる。
裏面シート３には、上部に開口部８が取付けられ、開口部８は、身体の表面に形成されたストーマから出る排泄物を受け入れる。裏面シート３は、開口部８に対応する部分は切り取られて、切り取られた裏面シート３の周縁は、開口部８にに接着または溶着される。開口部８には嵌合部８１が設けられ、嵌合部８１は、身体に直接貼着される取付部材と嵌合させ、排泄物が漏れ出さないようにシールされる。開口部８には、取付部材からパウチ１を取外すときに掴む把手部８２が設けられている。
パウチ１を直接身体に取付ける場合は、開口部８に粘着層を設けて、ストーマの周囲の身体に直接貼着してもよい。
【００１３】
図２に示すように、裏面シート３の外側の身体と接触する部分には、皮膚保護シート４が設けられる。皮膚保護シート４は、開口部８に対応する部分は切り取られて、切り取られた皮膚保護シート４の周縁は、開口部に８に接着または溶着される。図１に示すように、皮膚保護シート４は、裏面シート３の底部の近傍まで設けられており、身体と裏面シート３が接触することを防止している。
皮膚保護シート４は、通気性のよい不織布、メッシュタイプのシート等が用いられる。このシートは、通気性が良好のため、パウチ１が直接身体と触れても、貼りつくことがなく、不快感がない。
【００１４】
図２、図３、図４に示すように、パウチ１内には、逆流防止のために、第１逆流防止シート５と第２逆流防止シート６が設けられる。第１逆流防止シート５は表面シート２側に、第２逆流防止シート６は、裏面シート３側に設けられる。第１逆流防止シート５と第２逆流防止シート６は、パウチ１の略上半分の大きさを有し、下辺を除き周縁は、表面シート２と裏面シート３とともに貼り合わされている。第２逆流防止シート６は、開口部８に対応する部分は切り取られて、切り取られた第２逆流防止シート６の周縁は、開口部８に接着または溶着される。従って、開口部８から入った排泄物は、第１逆流防止シート５と第２逆流防止シート６の間に入り、第１逆流防止シート５と第２逆流防止シート６の間の下辺部分からパウチ１内の下方に落ちる。
【００１５】
図３に示すように、第１逆流防止シート５と第２逆流防止シート６の下辺から若干上方の部分で、  第１逆流防止シート５、第２逆流防止シート６、裏面シート３及び皮膚保護シート４は、スポット状に溶着部１０において相互に溶着されている。この実施の態様では、この溶着点１０は、略等間隔で４箇所設けられているが、その数は適宜パウチ１の大きさ等で変更することができる。
このため、パウチ１の下方に貯留した排泄物が振動等で上方に飛び上がっても、第１逆流防止シート５と第２逆流防止シート６の間から上方に進入することはない。
【００１６】
パウチ１の底部には、排泄物をパウチ１外に移送するため、排出部９が設けられている。排出部９は、パイプ状の排出口９１と栓９２からなり、排出口９１に移送用チューブを取付けることにより、パウチ１内の排泄物を外部に設けたタンク等へ移送することができる。移送用チューブを取付けないときは、排出口９１に栓９２を嵌めて、排泄物の漏洩を防止する。
【００１７】
パウチ１内の第１逆流防止シート５と第２逆流防止シート６の間で、開口部８の若干下からパウチ１の下部または排出部９の排出口９１まで中空または中実の排出用チューブ７を設ける。排出用チューブ７の上端は、開口部の下端から５ｍｍ程度下が好ましい。中空の排出用チューブ７の場合は、開口部８から入った排泄物がスムースに排出用チューブ７に流れ込むためであり、中実の排出用チューブ７の場合は、排出用チューブ７および第１逆流防止シート５と第２逆流防止シート６との間の隙間にスムースに排泄物が流れ込むためである。排出用チューブ７の先端があまり開口部から離れて下方にあると、第１逆流防止シート５と第２逆流防止シート６が貼着して排泄物が、排出用チューブ７に流れ込みにくくなる恐れがあり、排出用チューブ７の先端があまり開口部に近づき過ぎると、ストーマや皮膚と接触したりしてしまう恐れがあるからである。
【００１８】
排出用チューブ７の下端は、パウチ１の下部または排出部９の排出口９１まで設けた場合は、表面シート２と裏面シート３が貼着してもパウチ１の底部まで排泄物を流し込むことができる。パウチ１の下部まで設けた場合は、表面シート２と裏面シート３が貼着する部分が少なく、表面シート２と裏面シート３が離れやすくなり排出物を貯留することができる。パウチ１の下方とは、第１逆流防止シート５と第２逆流防止シート６の下辺よりも下方で、かつ開口部８の下端とパウチ１の底部との中間よりも下方である。排出口９１まで設けた場合は、排出口９１に移送用チューブを取り付けたとき、直接移送用チューブに排泄物を流し込みができる。
【００１９】
排出用チューブ７は、第１逆流防止シート５と第２逆流防止シート６の間に設けられるため、第１逆流防止シート５と第２逆流防止シート６が貼着しても、スムースに排泄物をパウチ１の底部まで流すことができる。
排出用チューブ７は、第２逆流防止シート６と裏面シート３に固定される。このため、身体の動きによって排出用チューブ７がパウチ１内を移動することがない。また、上記の通り、この実施の態様では、第１逆流防止シート５と第２逆流防止シート６は裏面シート３と４箇所の溶着部１０でスポット的に溶着されているので、溶着部１０と溶着部１０の間に排出用チューブ７を通すことにより、排出用チューブ７と第２逆流防止シート６の固定が外れた場合でも、排出用チューブ７が大きく振れることはない。
【００２０】
第１逆流防止シート５と第２逆流防止シート６が設けられていないパウチ１においては、排出用チューブ７は、パウチ１内の裏面シート３に固定される。排出用チューブ７は、上記と同様に開口部８の若干下からパウチ１の下部または排出部９の排出口９１まで排出用チューブ７を設ける。排出用チューブ７の上端は、開口部の下端から５ｍｍ程度下が好ましい。
【００２１】
排出用チューブ７は、パイプ状の中空タイプでも、フレキシブルな棒状の中実タイプのいずれでもよい。
排出用チューブ７は、身体の動きに追従するように軟質の材料が使用され、例えば、シリコンゴム、ポリ塩化ビニル等の軟質合成樹脂製のチューブを使用することができ、外径も２．５ｍｍから３．５ｍｍ程度のものが使用することができる。外径が２ｍｍ以上あれば、排泄物で中空の排出用チューブ７が詰まることも少ない。詰まった場合あるいは中実の排出用チューブ７の場合は、外面は断面円形のため、表面シート２と裏面シート３あるいは第１逆流防止シート５と第２逆流防止シート６との間に隙間を生じさせることができ、この隙間から排泄物はパウチ１の下方に流下することができる。
下方に流下した排泄物が排出用チューブ７を通りパウチ１の底部に達すると、パウチ１の表面シート２と裏面シート３の間を広げることができ、パウチ１全体に排泄物を貯留することができる。
【００２２】
【発明の効果】
本発明は、排出用チューブをパウチ内に設けたため、パウチのシートが貼着した場合でも排泄物を開口部付近から、スムースにパウチ１の下方に導くことができるため、確実に排泄物を貯留、排出することができ、長時間パウチを安心して取付けたままにすることができる。
パウチ内に逆流防止シートを設けて、２枚の逆流防止シートの間に排出用チューブを入れ、開口部付近まで排出用チューブを設けたので、第１逆流防止シートと第２逆流防止シートが密着しても、開口部から排泄物をパウチ底部まで確実に流下させることができる。
【図面の簡単な説明】
【図１】本発明のパウチの実施態様を示す裏面図である。
【図２】本発明のパウチの実施態様を示す図１のＡ−Ａ線に沿った一部縦断面図である。
【図３】本発明のパウチの実施態様を示す図１のＢ−Ｂ線に沿った断面図である。
【図４】本発明のパウチの実施態様を示す図１のＣ−Ｃ線に沿った断面図である。
【図５】本発明のパウチの実施態様を示す図１のＤ−Ｄ線に沿った断面図である。
【符号の説明】
１  パウチ
２  表面シート
３  裏面シート
５  第１逆流防止シート
６  第２逆流防止シート
７  排出用チューブ
８  開口部
９  排出部
【図１】
0003681717.tif 000002
【図２】
0003681717.tif 000003
【図３】
0003681717.tif 000004
【図４】
0003681717.tif 000005
【図５】
0003681717.tif 000006